(57)【要約】      （修正有）【課題】立体形状部を設け、その内部に収容物を収納することで、伝達可能な情報量を著しく大きくするとともに、機能向上及び多機能化に資する多機能メッセージカードを提供する。【解決手段】中央領域に少なくとも１つの立体形状部３を備え、その一部又は全部が３Ｄデータを基に立体的に成形された部分である樹脂シート２と、当該樹脂シートと外周同士を接着させる基材シート５と、前記樹脂シートにおける前記立体的に成形された部分と前記基材シートとの間の空間に収容される収容物とからなる。【選択図】図１
0003223539.tif 000002
【実用新案登録請求の範囲】
【請求項１】
中央領域に少なくとも１つの立体形状部を備え、その一部又は全部が３Ｄデータを基に立体的に成形された部分である樹脂シートと、
当該樹脂シートと外周同士を接着させる基材シートと、
前記樹脂シートにおける前記立体的に成形された部分と前記基材シートとの間の空間に収容される収容物と、
からなることを特徴とする多機能メッセージカード。
【請求項２】
前記立体的に成形された部分は、前記収容物についての３Ｄデータに基づいて成形されたものである請求項１に記載の多機能メッセージカード。
【請求項３】
前記立体的に成形された部分は、前記収容物表面の模様を含む外形を疑似的に立体化した場合の３Ｄデータに基づいて成形されたものである請求項１に記載の多機能メッセージカード。
【請求項４】
前記立体形状部には、少なくとも印刷が施されてなる請求項１〜３のいずれか１項に記載の多機能メッセージカード。
【請求項５】
前記立体的に成形された部分には、前記収容物が備える外観と同様の色彩となるように印刷が施されてなる請求項１〜３のいずれか１項に記載の多機能メッセージカード。
【請求項６】
前記収容物は、お守り、お札、図書カード、図書券、切手、冠婚葬祭の返礼品、又は各種商品若しくはそのサンプルである請求項１〜５に記載の多機能メッセージカード。
【請求項７】
前記基材シートは、郵便葉書台紙である請求項１〜６のいずれか１項に記載の多機能メッセージカード。
【請求項８】
前記基材シートには、前記収容物の収容位置から当該収容物を取り出せるようにミシン目又は切れ目が設けられてなる請求項１〜７のいずれか１項に記載の多機能メッセージカード。
【考案の詳細な説明】
【技術分野】
【０００１】
本考案は、立体形状部を備え、その内部に収容物が収納され、そのままで郵便物としても使用可能な多機能メッセージカードに関する。
【背景技術】
【０００２】
表面に宛先やメッセージを記入可能であり、裏面に史跡などの二次元の写真を印刷した絵葉書や記念写真等を印刷した年賀状のやりとりが一般的に行われている。また、近年、台紙裏面に立体写真を貼り付けたカードが提案されている（特許文献１参照）。この立体写真は、左右の目の視差によって結ばれた網膜上の像が立体として感知できるように２次元画像を組み合わせたものであり、何らかの立体形状がそこに形成されたものではない。
【先行技術文献】
【特許文献】
【０００３】
【特許文献１】実用新案登録第３００１９１７号明細書
【考案の概要】
【考案が解決しようとする課題】
【０００４】
しかしながら、前記した郵便葉書やカードはそもそもこれらは小物などの物品を収容することを想定したものではなく、またこれらに表現されている画像はあくまで二次元的に印刷されたものであるので、カードなどの受取者にとっては画像や簡単なメッセージを伝達するだけの媒体となっており、伝達可能な情報が非常に限定されるという課題がある。
【０００５】
すなわち、本考案は、前記課題を解決すべく鋭意検討を重ねた結果なされたものであり、
立体形状部を設け、その内部に収容物を収納することで、伝達可能な情報量を著しく大きくするとともに、機能向上及び多機能化に資する多機能メッセージカードを提供することを目的とする。
【課題を解決するための手段】
【０００６】
前記目的は、本考案の一局面によれば、中央領域に少なくとも１つの立体形状部を備え、その一部又は全部が３Ｄデータを基に立体的に成形された部分である樹脂シートと、当該樹脂シートと外周同士を接着させる基材シートと、前記樹脂シートにおける前記立体的に成形された部分と前記基材シートとの間の空間に収容される収容物と、からなることを特徴とする多機能メッセージカードによって達成される。
【０００７】
前記立体的に成形された部分は、前記収容物の３Ｄデータに基づいて成形されてもよく、当該収容物表面の模様を含む外形を疑似的に立体化した場合の３Ｄデータに基づいて成形されていてもよい。そして、この立体的に成形された部分と前記樹脂シートとの間の空間に前記収容物を収容することができる。
【０００８】
少なくとも前記立体形状部には、印刷を施すことができる。特に、前記立体的に成形された部分には、前記収容物が備える外観と同様の色合いとなるように印刷を施すのがよい。
【０００９】
前記収容物は、本考案の多機能メッセージカードよりも小さい物品であれば特に限定されないが、例えばお守り、お札、図書カード、図書券、切手、ＬＥＤ証明回路、音声再生回路又は各種商品若しくはそのサンプルなどが挙げられる。
【００１０】
前記基材シートは、紙製、樹脂製など特に限定されないが、例えば通常葉書や往復葉書などの葉書台紙を好適に用いることができる。前記基材シートには、前記収容物の収容位置から当該収容物を取り出せるようにミシン目又は切れ目を設けてもよい。
【考案の効果】
【００１１】
本考案の多機能メッセージカードは、樹脂シートに立体形状部を設け、その内部に収容物を収納することとしたので、受取者に伝達可能な情報量を著しく増大させ、多大なサプライズを与えることができるだけでなく、機能向上及び多機能化に資することになる。
【図面の簡単な説明】
【００１２】
【図１】本考案の多機能メッセージカードの一実施形態を模式的に示す斜視図である。
【図２】図１に示す実施形態の平面図である。
【図３】図２におけるＡ−Ａ矢視図である。
【考案を実施するための形態】
【００１３】
次に、添付の図１〜図３を参照しながら、本考案の多機能メッセージカードの一実施形態について詳細に説明する。図１は、本考案の多機能メッセージカードの一実施形態を模式的に示す斜視図である。また、図２は図１に示す実施形態の平面図であり、図３は図２におけるＡ−Ａ矢視図である。
【００１４】
本実施形態の多機能メッセージカード１は、図１〜３に示すように神社のお守りを収納するカードの一例であり、中央領域に２つの分離した立体形状部３、４を備えた樹脂シート２と、基材シート４と、立体形状部４内部に収納されるお守り（収容物）とから構成される。以下では、まず樹脂シート２について説明する。
【００１５】
（樹脂シート２）
樹脂シート２の素材には、加熱によって軟化し成形可能となる樹脂であれば制限なく使用できる。このような樹脂として、熱可塑性樹脂が挙げられる。熱可塑性樹脂としては特に制限なく従来公知の各種のものが使用でき、例えばポリエチレン、ポリプロピレン等のポリオレフィン樹脂；ポリアミド樹脂；ポリエチレンテレフタレート、ポリブチレンテレフタレート、ポリ乳酸等のポリエステル樹脂；ポリカーボネート樹脂；アクリロニトリル・ブタジエン・スチレン（ＡＢＳ）樹脂などのスチレン樹脂；ポリオキシメチレン樹脂；ポリエーテルケトン、ポリエーテルスルフォン、ポリフェニルスルフォン樹脂；熱可塑性ポリエーテルイミドなどが挙げられる。これらのうちから１種を単独で、又は２種以上を組み合わせて用いることができる。
【００１６】
使用される樹脂の種類や組み合わせ（混合比率）によって熱可塑性樹脂の融点は変わるため、成形方法や成形機の仕様などに応じて前記した熱可塑性樹脂の具体例の中から適宜１種を単独で用い、又は２種以上を組み合わせて選択するのがよい。なお、熱可塑性樹脂を２種以上組み合わせて用いる場合、熱可塑性樹脂の融点とは、最も融点の低い熱可塑性樹脂の融点とされる。また、熱可塑性樹脂が２つ以上の融点を有する場合、最も低い融点を熱可塑性樹脂の融点とされる。
【００１７】
熱可塑性樹脂の色は特に限定されず、例えば無色透明であってもよく、有色透明又は有色不透明であってもよいが、成形後に樹脂シート２又は立体形状部3若しくは４に印刷を施す場合には、無色透明であることが好ましい。樹脂を有色とする場合、適宜顔料や染料などの着色剤を添加することができる。
【００１８】
顔料としては、有機顔料と無機顔料とがある。有機顔料としては、ジスアゾイエローなどのアゾ顔料；フタロシアニンブルー、フタロシアニングリーンなどのフタロシアニン顔料；イソインドリノンイエローなどのイソインドリノン・イソインドリン顔料；キナクリドンレッド、２，９−ジメチルキナクリドンなどのキナクリドン顔料；ジオキサジンバイオレットなどのジオキサジン顔料；ジケトピロロビロールなどのジケトピロロビロール顔料；キノフタロンイエローなどのキノフタロン顔料などが挙げられる。無機顔料としては、酸化チタン、赤酸化鉄、酸化亜鉛、酸化クロム、鉄黒、複合酸化物などの酸化物；カーボンブラック等の炭素；黄鉛、モリブデートオレンジなどのクロム酸塩；紺青などのフェロシアン化物；カドミウムエロー、カドミウムレッド、硫化亜鉛などの硫化物；硫酸バリウムなどの硫酸塩；塩酸塩；群青などのケイ酸塩；炭酸カルシウムなどの炭酸塩；マンガンバイオレットなどのリン酸塩；黄色酸化鉄等の水酸化物などが挙げられる。また、染料としては、ソルベント染料、酸性染料、直接染料、塩基性染料、反応性染料、媒染染料、酸性媒染染料、分散染料、建染染料（スレン染料）、硫化染料、硫化建染染料、アゾイック染料、蛍光染料などが挙げられる。着色剤としては、前述の顔料および染料のうち１または２以上を使用できる。
【００１９】
（立体形状部３、４）
次に、樹脂シート２の中央領域に形成された２つの分離した立体形状部３，４について説明する。立体形状部３は、神社などに設置されている鳥居をその正面から見て各構成部材を立体的に形成したものである。また、立体形状部４は、立体形状部３の2本の脚の間のスぺースに配置され、神社などで購入可能なお守り６を立体的に形成したものである。
【００２０】
立体形状部３、４は、従来公知の各種の成形方法を用いた前記熱可塑性樹脂の成形時に立体的に形成される。例えば、以下のようなプロセスを経て樹脂シート２の中央領域に立体形状部３，４を形成することができる。立体形状部３については、３ＤＣＡＤを用いて鳥居の立体造形物を作成し、その任意の縦断面で切断した状態の鳥居の３Ｄデータを取得する。また、立体形状部４については、お守りの実物をその表面の模様も含め３Ｄスキャンして３Ｄデータを取得し、あるいはお守りの２次元画像からその表面の模様も含めた外形をＡＩなどを用いた公知の方法により疑似的に３Ｄ変換を行って３Ｄデータを取得する。そして、図１及び図２に示す配置に立体形状部３、４が形成されるようにこれらの３Ｄデータを用いて設定し、その上で３Ｄプリンターを用いて模型を作製する。この模型に基づいて樹脂成型に必要な成形型を作製し、従来公知のプレス成型、ブロー成型などの成型法を用いて前記熱可塑性樹脂を加熱し軟化した状態で当該樹脂を成形する。なお、立体形状部３、４の形成は、熱可塑性樹脂の成型と同時に行う限り前記成形法に限定されることなく、他の成形法を用いて行ってもよい。
【００２１】
立体形状部３、４の樹脂シート２の平坦面（例えば外周部分）からの高さは、得られる本考案の多機能メッセージカードに要求される厚さから基材シート５の厚さを差し引いた厚さを最大値として適宜設定できる。特に立体形状部４については、お守り６（実物）を内部に収納することから、お守り６の最大厚さに立体形状部４の樹脂の厚さ分を加えた高さが前記最大値を超えないようにするのがよい。
【００２２】
使用する樹脂の色が無色透明又は有色透明である場合、立体形状部３、４又はこれらを含む樹脂シート２全体の表面又は裏面に従来公知の各種方法を用いて印刷を施すことができる。本実施形態の場合、少なくとも、立体形状部３には実際の鳥居の外観と同様の色合いに、また立体形状部４には実物のお守りの外観と同様の色合いになるように印刷を施すのが好ましい。このように少なくとも立体形状部３，４に印刷を施すことで、本考案の多機能メッセージカードを受け取る受取者にさらにサプライズを与えられるようになる効果が期待できる。
【００２３】
前記のような立体形状部３、４が形成された樹脂シート２の平面サイズは、当該樹脂シート２と接着される基材シート５（後述）の平面サイズに合わせるものとする。同様の立体形状部３，４を備える樹脂シート２を一度に複数成形する場合には、基材シート５の平面サイズに合わせて裁断してもよい。また、樹脂シート２の厚さは、成形に用いられる樹脂の種類や使用量、本考案の多機能メッセージカード１の最大厚さによっても変わるが、立体形状部３、４がある程度の剛性を維持できる程度に設定できる。
【００２４】
（基材シート５）
基材シート５には、樹脂シート又は紙製シート（いわゆる台紙）のいずれも使用できる。またそのサイズも名刺大、葉書大からさらに大きく設定することもできる。台紙が郵便葉書の場合、通常葉書（官製葉書、私製葉書）、年賀状、同腹葉書、かもめーる、絵入り葉書、郵便書簡、エコー葉書など通常市販されているものを使用できる。なお、このサイズに合ったサイズに樹脂シート２を作製し裁断するのがよい。また、基材シート５の樹脂シート２が接着される側の面又はその反対面には、従来公知の各種方法によって適宜の印刷を施してもよい。
【００２５】
基材シート５において、立体形状部４に対応する位置には収納されたお守り６を取り出せるように、公知のミシン目又は切れ目（いずれも不図示）を設けておくことができる。このようにミシン目などを設けておくことで、本考案の多機能メッセージカードを受け取る受取者は、収容物のお守り６を内部から取り出して持ち歩くとともに、多機能メッセージカード１を飾っておくなどの効果も期待できる。
【００２６】
お守り６を立体形状部４の内側に収納した状態で樹脂シート２と基材シート５とをそれぞれの外周同士接着する場合の接着剤としては、両者が高い接着力で接着できれば、特に限定されず、従来公知の各種のものを使用できる。また、接着剤の塗布方法についても特に制限はなく、手作業で塗布してもよく、機械で塗布するようにしてもよい。また、基材シート５が樹脂シート２と同様の熱可塑性樹脂である場合には、ヒートシールによる接着を行ってもよい。
【００２７】
以上、神社の鳥居及びお守りの３Ｄデータに基づいて立体的に形成された立体形状部を備える樹脂シートを含む多機能メッセージカードについて説明したが、これに限定されないことは言うまでもない。例えば、樹脂シートには、これらの立体形状部以外の領域にも、例えば３Ｄデータに基づかない立体的形状部が形成されていてもよく、まったく別の物品やデザインが立体的に形成されていてもよい。いずれにしろ、本考案の多機能メッセージカードの受取者に喜ばれるようなデザインや収容物を適宜選定し、これらを立体化した樹脂シートを用いて本考案の多機能メッセージカードを作製することができることは言うまでもない。
【００２８】
本考案の多機能メッセージカードは、前記したお守りのほか、お札、記念切手、クオカード、図書券、図書カード、冠婚葬祭の返礼品、各種商品若しくはそのサンプルなども樹脂シートにこれらの形状や模様を立体化して生じる収納空間に収納できるため、機能向上及び多機能化に資するだけでなく、コメントなども付すことができるため受取者に伝達可能な情報量が著しく増大し、多大なサプライズを与えることができる。
【００２９】
なお、基材シートの立体形状部に対応する任意の位置に、電池、スイッチ、配線類などを含むＬＥＤ照明回路及び／又は音声再生回路を設け、立体形状部の所定位置に配置したスイッチを押圧することで、内部から発光させたり音声を再生したりするようにしてもよい。
【符号の説明】
【００３０】
１本考案の多機能メッセージカード
２樹脂シート
３、４立体形状部
５基材シート
【図１】
0003223539.tif 000003
【図２】
0003223539.tif 000004
【図３】
0003223539.tif 000005